(57)【要約】【課題】  カーテンフックを使用せずにカーテンを取付けることができるカーテンを提供をすること。【解決手段】  カーテン本体２の上端縁近傍に沿って、その上下を固着して筒上部９を形成し、この筒状部９の片方の面に長手方向一列に等間隔に偶数個の所定の大きさの穴６を設けてなる。これにより、カーテンを横棒に弛ませてカーテンを吊り下げたときに、カーテンには自然な形のプリーツ（ひだ）が形成され、カーテンを飾ったときに立体的にきれいなウエーブができる。【選択図】図１
2006136357.tif 000002
【特許請求の範囲】
【請求項１】
カーテン本体の上端縁近傍に沿って、その上下を固着して筒上部を形成し、この筒状部の片方の面に長手方向一列に等間隔に偶数個の所定の大きさの穴を設けてなることを特徴とするカーテン。
【発明の詳細な説明】
【技術分野】
【０００１】
本発明は、カーテンフックを使用しなくてもカーテンを取り付けることができるための、カーテンに関するものである。
【背景技術】
【０００２】
従来のカーテンは、一つには、窓枠の上方に設置したカーテンレールに、吊り下げフックを用いてカーテンを吊り下げ、そのカーテンの上縁部分に形成された複数のプリーツ（「ひだ」とも言う。）によりカーテン面にウェーブを形成し、立体的な装飾を付与してなるものがあった。その他には、カーテンの上縁部分に所定の間隔で一列に穴を開けて、その穴に窓枠の上方に設置した横棒を通して吊り下げていた（非特許文献１参照）。
【非特許文献１】有限会社インテリアクレール、「手作りカーテンのインテリアレール」、http://www.curtainshop.co.jp/index.html
【発明の開示】
【発明が解決しようとする課題】
【０００３】
これ等には、次のような欠点があった。前者では、カーテンの上縁部分に形成する複数のプリーツ（ひだ）を形成するためにカーテン加工に手間がかかり、その上、複雑で高価なカーテンレールを使用し、コスト高であり、取り付けにも面倒であると共に、カーテン上部に吊り下げフックを使うために、カーテンを洗濯するときにはフックを取り外し、洗濯後、再度フックを取り付けてから吊り下げるという煩わしさがあった。さらに後者では、室内から取り付け部分のカーテンの上方の穴や横棒が丸見えになってしまい美的感覚を損なうものであった。
【０００４】
本発明は、これらの欠点を解決するためになされたものである。
【課題を解決するための手段】
【０００５】
カーテン本体の上端縁近傍に沿って、その上下を固着して筒上部を形成し、この筒状部の片方の面に長手方向一列に等間隔に偶数個の所定の大きさの穴を設けてなることを特徴とするカーテン。
【発明の効果】
【０００６】
本発明によれば、カーテンの上端の縁近傍の筒状部において、横棒がカーテン外面に露出している部分ではカーテンは、横棒に巻き付いていず、拘束されていないために、カーテンを横棒に弛ませてカーテンを吊り下げたときに、カーテンには自然な形のプリーツ（ひだ）が形成され、カーテンを飾ったときに立体的にきれいなウエーブができ室内にいる人に対して美的感覚を満足させる。カーテンの縫い付け時に、プリーツ（ひだ）を設ける必要がなく、縫製作業が簡易化でき、コスト低減が図れ、形態が平らなので洗濯時に扱い易い。カーテンを吊り下げた場合に、ほぼ自動的に、簡単にプリーツ（ひだ）ができる。また誰にでもカーテンを指でつまんでプリーツ（ひだ）の幅や高さを容易に調節できる。
【０００７】
本発明のカーテンでは、プリーツ（ひだ）は表面側にでき、裏面側はほぼ平らであるために、奥行きが不要のために窓枠の奥行きの幅が狭くてもカーテンの設置が可能である。また、プリーツ（ひだ）の高さと幅の調節が容易にできることと、突っ張り棒の使用でカーテンを容易に設置できるので、窓の幅の大小に柔軟に対応可能である。複雑な構造のカーテンレールや吊り下げ用フックが不要となりコスト削減となり、そしてカーテンの洗濯時のフックの着脱等の煩わしさから開放される。
【０００８】
横棒を通す穴をカーテンの裏面（室内側の表面に対して反対側）に設けたので、通し穴が室内側の表面から見えないのと同時に、カーテンを広げたときに横棒も表面側から見えないので美的感覚を満足させることができる。そして、カーテンと横棒との接触面積が大きいので、カーテンが振動や弱い風等には移動されにくいために、本発明のカーテンでは常に立体的にきれいなプリーツ（ひだ）やウエーブが持続できる。さらに、複雑なプリーツ（ひだ）の縫製加工等が不要であるために、カーテン生地としてレース、織物、いろいろな繊維素材に対応可能である。
【０００９】
もちろん本発明のカーテンは、従来のカーテンレールに吊るすことも可能である。例えば筒状部の長手方向に一列に等間隔に偶数個設けている穴に吊り下げフックを挿入して、カーテンレールに吊るせば、カーテンの上縁部分に複数の多くのプリーツ（ひだ）を形成して吊り下げられる。そして、カーテンの縫い付け時に、特別にプリーツ（ひだ）を設ける必要がなく、縫製作業が簡易化でき、コスト低減が図れ、さらに、カーテンレールは従来のまま使用できるのでカーテンの交換だけであるから安価に交換でき、そしてカーテンを吊り下げたときに、カーテンには自然な形のプリーツ（ひだ）が形成され、カーテンを飾ったときに立体的にきれいなウエーブができ室内にいる人に対して美的感覚を満足させることができる。
【発明を実施するための最良の形態】
【００１０】
以下、本発明の実施の形態について説明する。
【００１１】
図１は、本発明の第１の実施形態のカーテンの裏面からの組立斜視図を示す。カーテン１は、カーテン本体２の上端３の縁に沿って、補助布４（ここでは裏地付属部分）を配置して、カーテン本体２と補助布４に直角方向７Ａにて二点鎖線により表示する上方固着部７と、同じく直角方向８Ａにて一点鎖線により表示する下方固着部８とで、カーテン本体２と補助布４とで筒状部９を形成している。
【００１２】
そして、この筒状部９を形成する補助布４の面側に穴６を、筒状部９の長手方向に一列に等間隔に偶数個（ここでは８個）設けている。この穴６の形状は、丸穴、縦長穴、横長穴、縦切り込み穴、横切り込み穴等いずれでもよく、その穴６の大きさは、カーテン１を吊り下げる横棒１３（図３参照）が挿入できて、カーテン１が左右横方向に滑らかに容易に移動可能である大きさの穴６でよく、更に、穴６の周囲を糸等でかがって、切断面の布がほつれたり、切れたりしないように保護加工を施されていることが望ましい。
【００１３】
図２は、本発明の図１のカーテンの第１の実施形態のカーテンの裏面の上端の縁近傍において、横棒を筒状部及び穴に挿入する組立斜視図を示す。カーテン１は、カーテン本体２の上端３の縁に沿って、補助布４（ここでは裏地付属部分）を配置して、カーテン本体２と補助布４に直角方向７Ａにて二点鎖線により表示する上方固着部７と、同じく直角方向８Ａにて一点鎖線により表示する下方固着部８とで、カーテン本体２と補助布４とで筒状部９を形成している。この筒状部９と穴６とに横棒１３を順に挿入する。図２において、横棒１３の中心軸の延長線にて、実線表示の部分では、横棒１３が筒状部から外側に露出している部分１５を示し、点線表示の部分にては、横棒１３が筒状部９に挿通されている部分１４を示す。横棒１３は左方から、筒状部９に入り、穴６（左方）から外側に露出し次の穴６に再度挿入されて、順次これを繰り返す。尚、後述するが、カーテン１の筒状部９の長手方向の範囲内において、横棒１３が外面に露出している部分１５ではカーテン１は、横棒１３に巻き付いていないために、カーテン１を横棒１３に弛ませてカーテン１を吊り下げたときに、横棒１３が外面に露出している部分１５では、カーテン１は横棒１３に拘束されていないために、プリーツ（ひだ）２０が形成される（図３参照）。
【００１４】
図３は、図１、図２に示す本発明の第１の実施形態のカーテンが吊り下げられた状態で、カーテンの表面からの斜視図を示す。ここでカーテン１は、カーテン本体２の上端３の縁に沿って、裏面に補助布４（ここでは裏地付属部分）を配置して、カーテン本体２と補助布４に直角方向７Ａにて二点鎖線により表示する上方固着部７と、同じく直角方向８Ａにて一点鎖線により表示する下方固着部８とで、カーテン本体２と補助布４とで筒状部９を形成している。この筒状部９と穴６とに横棒１３を順に挿入している。図２に示す横棒１３の露出部分１５に当るところではカーテン１は横棒１３に巻きついていず拘束されていないために、図３に示すように、カーテン１を弛ませて吊り下げると、プリーツ（ひだ）２０を形成してカーテン１を配置することができる。このような構成であるから本発明のカーテン１は、従来のようなカーテンの上縁部分に形成する複数のプリーツ（ひだ）を形成するための加工が不要である。そのためにカーテン加工の手間が大幅に短縮される。
【００１５】
その上、複雑で高価なカーテンレールも不要であり、コスト低減が図れる。更に取り付け状態についても、横棒１３をカーテン１に挿通してから、図示せぬ支持部材１６等にて横棒の両端を窓枠や壁面に取り付けたり、又は、図示せぬがボルトやナットそれに圧縮コイルばね等からなる突っ張り機構付の横棒を、窓枠に突っ張らせてカーテン上部を吊り下げるだけでよい。このように設置も簡単である。そして、フックを使わないために、カーテンを洗濯するときにはフックを取り外し、その洗濯終了後、再度フックを取り付けてから吊り下げるというような煩わしさがない。このことは第２の実施態様、第３の実施態様、第４の実施態様にも共通して言える。
【００１６】
もちろん本発明のカーテン１は、従来のカーテンレールに吊るすことも可能である。例えば筒状部９の長手方向に一列に等間隔に偶数個設けている穴６に吊り下げフックを挿入して、カーテンレールに吊るせば、カーテンの上縁部分に複数の多くのプリーツ（ひだ）を形成して吊り下げられる訳である。
【００１７】
図４は、本発明の第２の実施形態のカーテンの裏面からの組立斜視図を示す。
【００１８】
カーテン１は、カーテン本体２の上端３の縁に沿って、やや幅広の補助布４（ここでは飾り用のレール地）を山折に折り返して上端３の縁に被せて配置し、カーテン本体２と山折に折り返して被せて配置した補助布４とに直角方向７Ａにて二点鎖線により表示する上方固着部７と、同じく直角方向８Ａにて一点鎖線により表示する下方固着部８とで、カーテン本体２と補助布４とで筒状部９を形成している。そして、この筒状部９を形成する補助布４の面（筒状部９の一方の面９Ａ）に穴６を、一列に等間隔に偶数個（ここでは８個）設けている。
【００１９】
図４のカーテン１は、図１の第１の実施態様のカーテン１とはカーテン本体２の上端３の縁に沿って、やや幅広の補助布４（ここでは飾り用のレール地）を山折に折り返して上端３の縁に被せて配置した点で異なるが、その他の構成は同じである。すなわち、この筒状部９に横棒１３を挿入し、横棒１３の軸心の延長線では、実線表示の部分にては、横棒１３が筒状部から外側に露出している部分１５を示し、同様に点線表示の部分にては、横棒１３が筒状部９に挿通されている部分１４を示す。さらに同じく横棒１３は左方から、筒状部９に入り、穴６（左方）から外側に露出し次の穴６に再度挿入されて、順次これを繰り返す。そしてカーテン１を吊り下げたときに、横棒１３がカーテン１の外面に露出している部分１５がカーテンのプリーツ（ひだ）２０を形成する訳である（図３と同様である）。
【００２０】
図５は、本発明の第３の実施形態のカーテンの裏面からの組立斜視図を示す。カーテン１は、カーテン本体２の上端３の縁に沿って、表側（図５では向う側）に補助布４（ここでは飾り用レール地）を配置して、補助布４とカーテン本体２に直角方向７Ａにて二点鎖線により表示される上方固着部７と、同じく直角方向８Ａにて一点鎖線により表示される下方固着部８とで、カーテン本体２と補助布４とで筒状部９を形成している。そして、この筒状部９を形成するカーテン本体２側の面（筒状部９の一方の面９Ａ）に穴６を、筒状９の長手方向に一列に等間隔に偶数個（ここでは８個）設けている。
【００２１】
この筒状部９に横棒１３を挿入し、横棒１３は、実線表示の部分にては、横棒１３が筒状部から外側に露出している部分１５である。点線表示の部分にては、横棒１３が筒状部９に挿通されている部分１４を示す。横棒１３は左方から、筒状部９に挿入され、穴６（左方）から外側に露出し次の穴６に再度挿入されて、順次これを繰り返す。カーテン１を吊り下げたときに、横棒１３がカーテン１の外面に露出している部分１５がカーテンのプリーツ（ひだ）２０を形成する訳である。
【００２２】
図５の本発明の第３の実施態様は、本発明の図１の第１の実施態様とは、この筒状部９を形成するカーテン本体２の面（筒状部９の一方の面９Ａ）に穴６を、一列に等間隔に偶数個設けている点が図１の第１の実施態様に異なる。その他は、図１の第１の実施態様と同様であるから、カーテン本体２の範囲内において、カーテン１を吊り下げたときに、横棒１３がカーテン１の外面に露出している部分１５がカーテンのプリーツ（ひだ）２０を形成することは図３の第１の実施態様と同様である。
【００２３】
図６は、本発明の第４の実施形態のカーテンの裏面からの組立斜視図を示す。上方にて、カーテン１は、カーテン本体２を裏面側（図６にては図の表面側）に山折に折り返して二重にして上端３の縁を形成し、カーテン本体２を山折に折り返して二重にした部分において、前記上端３に沿って、直角方向７Ａにて二点鎖線により表示する上方固着部７と、同じく直角方向８Ａにて一点鎖線により表示する下方固着部８とで、筒状部９を形成している。そして、この筒状部９を形成する裏面側に山折に折り返したカーテン本体２の面（筒状部９の一方の面９Ａ）に穴６を、筒状部９の長手方向に一列に等間隔に偶数個（ここでは８個）設けている。
【００２４】
図６の、本発明の第４の実施態様のカーテン１は、補助布４を使用せずに、カーテン本体２を裏面側（図６では図の表面側）に山折に折り返して二重にして上端３の縁に沿って筒状部９を形成した点で、図１の本発明の第１の実施形態と異なるが、その他は同様である。すなわち、この筒状部９に横棒１３を挿入し、横棒１３は、実線表示の部分にては、横棒１３が筒状部から外側に露出している部分１５であり、点線表示の部分にては、横棒１３が筒状部９に挿通されている部分１４を示す。横棒１３は左方から、筒状部９に挿入され、穴６（左方）から外側に露出し次の穴６に再度挿入されて、順次これを繰り返す。カーテン１を吊り下げたときに、横棒がカーテン１の外面に露出している部分１５がカーテンのプリーツ（ひだ）２０を形成する訳である（図３と同様である）。
【００２５】
本発明によれば、カーテン１の上端３の縁の筒上部９の長手方向において、横棒１３がカーテン１の外面に露出している部分ではカーテン１は、横棒１３に巻き付いていず、拘束されていないために、カーテン１を横棒１３に弛ませてカーテン１を吊り下げたときに、カーテン１には自然な形のプリーツ（ひだ）が形成され、カーテン１を飾ったときに立体的にきれいなウエーブができ室内にいる人に対して美的感覚を満足させる（図３参照）
【００２６】
また、カーテンの縫い付け時に、特別にプリーツ（ひだ）を設ける必要がなく、縫製作業が簡易化でき、コスト低減が図れ、また形態が平らなので洗濯時に扱い易い。そしてカーテン１を吊り下げた場合に、ほぼ自動的に、かつ簡単にプリーツができ、誰にでもカーテン１を指でつまんでプリーツ（ひだ）の幅や高さを容易に調節できる。本発明のカーテン１では、プリーツは室内側の表面にでき、裏面側はほぼ平らであるために、カーテン１の設置状態では、奥行きが不要のために窓枠の奥行きの幅が狭くてもカーテン１の設置が可能である。しかもプリーツの高さと幅の調節が容易に可能であり、突っ張り棒の使用でカーテン１を容易に設置できるので、窓の幅の大小に柔軟に対応可能である。
【００２７】
複雑な構造のカーテンレールや吊り下げ用フックが不要となりコスト削減となり、カーテン１の洗濯時のフックの着脱等の煩わしさから開放される。
【００２８】
横棒１３を通す穴６をカーテンの裏面に設けたので、通し穴６が室内側の表面から見えないのと同時に、カーテン１を広げたときに横棒１３も表面側から見えないので美的感覚を満足させることができる。
【００２９】
カーテン１と横棒１３との接触面積が大きいので、カーテン１が振動や弱い風等ではずれずに立体的にきれいなプリーツやウエーブが持続できる。さらに、複雑なプリーツ（ひだ）の縫製加工等が不要であるために、カーテン生地としてレース、織物、いろいろな繊維素材に対応可能である。
【図面の簡単な説明】
【００３０】
【図１】本発明の第１の実施形態のカーテンの裏面からの組立斜視図。
【図２】本発明の第１の実施形態のカーテンの裏面からの組立斜視図。
【図３】本発明の第１の実施形態のカーテン１の表面からの斜視図。
【図４】本発明の第２の実施形態のカーテンの裏面からの組立斜視図。
【図５】本発明の第３の実施形態のカーテンの裏面からの組立斜視図。
【図６】本発明の第４の実施形態のカーテンの裏面からの組立斜視図。
【符号の説明】
【００３１】
１…カーテン
２…カーテン本体
３…上端
４…補助布
６…穴
７…上方固着部
８…下方固着部
９…筒状部
１３…横棒
１４…横棒１３が筒状部９に挿通されている部分
１５…横棒１３が筒状部９から外面に露出している部分
２０…プリーツ（ひだ）。
【図１】
2006136357.tif 000003
【図２】
2006136357.tif 000004
【図３】
2006136357.tif 000005
【図４】
2006136357.tif 000006
【図５】
2006136357.tif 000007
【図６】
2006136357.tif 000008
【手続補正書】
【提出日】平成17年7月25日(2005.7.25)
【手続補正１】
【補正対象書類名】特許請求の範囲
【補正対象項目名】全文
【補正方法】変更
【補正の内容】
【特許請求の範囲】
【請求項１】
カーテン本体の上端縁近傍に沿って、当該カーテン本体の裏地付属部分である補助布の上下を固着して筒状部を形成し、この筒状部の片方の面に当該筒状部に嵌挿される横棒の直径よりも大きな直径を有する穴を長手方向一列に等間隔に偶数個設けてなることを特徴とするカーテン。
【手続補正２】
【補正対象書類名】明細書
【補正対象項目名】０００５
【補正方法】変更
【補正の内容】
【０００５】
カーテン本体の上端縁近傍に沿って、当該カーテン本体の裏地付属部分である補助布の上下を固着して筒状部を形成し、この筒状部の片方の面に当該筒状部に嵌挿される横棒の直径よりも大きな直径を有する穴を長手方向一列に等間隔に偶数個設けてなることを特徴とするカーテン。
【手続補正３】
【補正対象書類名】明細書
【補正対象項目名】０００６
【補正方法】変更
【補正の内容】
【０００６】
本発明によれば、カーテンの上端の縁近傍の筒状部において、横棒がカーテン外面に露出している部分（図２に示すように、隣接し対となる穴の間のカーテン本体の部分）では、カーテンは、横棒に巻き付いていず、拘束されていないために、カーテンを横棒に弛ませてカーテンを吊り下げたときに、カーテンには自然な形のプリーツ（ひだ）が形成され、カーテンを飾ったときに立体的にきれいなウエーブができ室内にいる人に対して美的感覚を満足させる。なお、各プリーツ（ひだ）は、上記対となった穴を介して横棒に支持されるので、安定した状態を維持する。カーテンの縫い付け時に、プリーツ（ひだ）を設ける必要がなく、縫製作業が簡易化でき、コスト低減が図れ、形態が平らなので洗濯時に扱い易い。カーテンを吊り下げた場合に、ほぼ自動的に、簡単にプリーツ（ひだ）ができる。また誰にでもカーテンを指でつまんでプリーツ（ひだ）の幅や高さを容易に調節できる。
【手続補正４】
【補正対象書類名】明細書
【補正対象項目名】０００９
【補正方法】変更
【補正の内容】
【０００９】
もちろん本発明のカーテンは従来のカーテンレールに吊るすことも可能である。例えば筒状部の長手方向に一列に等間隔に偶数個設けている穴に吊り下げフックを挿入して、カーテンレールに吊るせば、カーテンの上縁部分に複数の多くのプリーツ（ひだ）を形成して吊り下げられる。そして、カーテンの縫い付け時に特別にプリーツ（ひだ）を設ける必要がなく、縫製作業が簡易化でき、コスト低減が図れ、さらに、カーテンレールは従来のまま使用できるのでカーテンの交換だけであるから安価に交換でき、そしてカーテンを吊り下げたときに、カーテンには自然な形のプリーツ（ひだ）が形成され、カーテンを飾ったときに立体的にきれいなウエーブができ室内にいる人に対して美的感覚を満足させることができる。なお、本発明のカーテンでは、筒状部を形成する補助布はカーテンの裏地付属部分なので設置しても違和感は生じない。また筒状部に設けられた偶数個の穴は、横棒よりも直径が大きいので、当該横棒は円滑に嵌挿する。
【手続補正５】
【補正対象書類名】明細書
【補正対象項目名】００１２
【補正方法】変更
【補正の内容】
【００１２】
そして、この筒状部９を形成する補助布４の面側に穴６を、筒状部９の長手方向に一列に等間隔に偶数個（ここでは８個）設けている。この穴６の形状は、丸穴とされ、その穴６の大きさは、カーテン１を吊り下げる横棒１３（図３参照）が挿入できて、カーテン１が左右横方向に滑らかに容易に移動可能である大きさとされ（図２に示すように、横棒１３の直径よりも大きな直径とされ）、更に、穴６の周囲を糸等でかがって、切断面の布がほつれたり、切れたりしないように保護加工を施されていることが望ましい。